(57)【要約】  本発明は、関節先端を受けるためのソケット部（２）、プロテーゼ（１）を骨に固定するためのアンカー部（３）及び、安全にソケット部（２）とアンカー部（３）を結合するための結合装置（４）を備えるプロテーゼ、特に肩プロテーゼに関するものであって、前記プロテーゼにおいて、ソケット部（２）に少なくとも一つのピン（５）が割り当てられ、アンカー部（３）が少なくとも一つのガイド（８）を有し、角度調整可能な方法でピン（５）がガイド（８）内に本質的に保持されるようにガイド（８）が構成される。本発明は、さらに、前記のプロテーゼを組立てる方法に関する。【選択図】図１
2009536839.tif 000002
【特許請求の範囲】
【請求項１】
関節先端を受けるソケット部（２）、プロテーゼ（１）を骨に固定するアンカー部（３）及び、安全にソケット部（２）とアンカー部（３）を結合する結合装置（４）を備えるプロテーゼ、具体的には肩プロテーゼであって、ソケット部（２）に少なくとも一つのピン（５）が割り当てられ、アンカー部（３）が少なくとも一つのガイド（８）を有し、本質的に傾斜−校正方法でピン（５）がガイド（８）内に保持されるようにガイド（８）が構成される前記プロテーゼ。
【請求項２】
ソケット部（２）及びピン（５）が一体成形で実現される請求項１に記載のプロテーゼ。
【請求項３】
ガイド（８）及びピン（５）が本質的に円筒状様式に適合し、ガイド（８）の内径が本質的にピン（５）の外径と一致する請求項１又は２に記載のプロテーゼ。
【請求項４】
ソケット部（２）が関節先端を受けるために皿（６）を有し、ピン（５）が皿（６）の反対のソケット部（２）の側（１７）に配置される請求項１〜３のいずれか一項に記載のプロテーゼ。
【請求項５】
結合装置（４）がスナップ式の装置として実行される請求項１〜４のいずれか一項に記載のプロテーゼ。
【請求項６】
結合装置（４）の第一部分（１１）がソケット部（２）から一定の距離（１８）でピン（５）に配置され、結合装置（４）の第二部分（１２）がガイド（８）の入口側から少し離れてガイド（８）内に配置される請求項１〜５のいずれか一項に記載のプロテーゼ。
【請求項７】
前記ソケット部（２）から結合装置（４）までの距離（１８）が３ｍｍから１２ｍｍ、特に４ｍｍに達する請求項６に記載のプロテーゼ。
【請求項８】
結合装置（４）の第一部分（１１）が開口部、特に本質的に環状溝として適合する請求項６または７に記載のプロテーゼ。
【請求項９】
開口部（４）の端が溝を示す請求項８に記載のプロテーゼ。
【請求項１０】
結合装置（４）の第二部分（１２）が肥厚、特に本質的にリング形湾曲部として適合する請求項６〜９のいずれか一項に記載のプロテーゼ。
【請求項１１】
ガイド（８）が３ｍｍから９ｍｍ、特に７ｍｍの内径を有する請求項１０に記載のプロテーゼ。
【請求項１２】
入口側から逆の側にガイド（８）がアウトレット開口部（９）を有する請求項１〜１１のいずれか一項に記載のプロテーゼ。
【請求項１３】
アンカー部（３）が、ピンをガイドに挿入するために開口部を付けている軸受表面（１９）を有する請求項１〜１２のいずれか一項に記載のプロテーゼ。
【請求項１４】
ソケット部（２）が平面方法の軸受表面（１９）にあてはまるように、軸受表面（１９）が適合する請求項１３に記載のプロテーゼ。
【請求項１５】
軸受表面（１９）から結合装置（４）までの距離が３ｍｍから１２ｍｍ、特に４ｍｍに達する請求項１３または１４に記載のプロテーゼ。
【請求項１６】
留め具（２５）、特にネジが骨にアンカー部（３）を固定するためにガイドのアウトレット開口部（９）に提供される請求項１〜１５のいずれか一項に記載のプロテーゼ。
【請求項１７】
ソケット部（２）および／またはピン（５）がプラスチック材料、特にポリエチレンでできている請求項１〜１６のいずれか一項に記載のプロテーゼ。
【請求項１８】
アンカー部（３）が金属でできている請求項１〜１７のいずれか一項に記載のプロテーゼ。
【請求項１９】
ソケット部（２）にいくつか、特に二つのピン（５）を割り当てられ、アンカー部（３）が、ピン（５）の傾斜−校正導入のためにいくつか、特に２つのガイド（８）を有する請求項１〜１８のいずれか一項に記載のプロテーゼ。
【請求項２０】
ピン（５）及びガイド（８）が平行方法で正しい位置に置かれる請求項１９に記載のプロテーゼ。
【請求項２１】
ソケット部（２）及びアンカー部（３）間の安全な結合が、結合装置（４）によって確定されるまで、少なくとも一つのピン（５）が、アンカー部（３）の少なくとも一つのガイド（８）に挿入される請求項１〜２０のいずれか一項に記載のプロテーゼを組立てるための方法。
【請求項２２】
ソケット部（２）とアンカー部（３）との安全な結合を確定するために、ピン（５）に配置される第一部分（１１）が、結合装置（４）のガイド（８）に配置される第二部分（１２）にきちんと嵌められる請求項２１に記載の方法。
【発明の詳細な説明】
【関連出願の引用】
【０００１】
本出願は、２００６年５月１２日に出願された欧州特許出願第０６００９８０４．３号の優先権を主張するものであり、全ての開示内容は参考文献として本願に組み込まれる。
【技術分野】
【０００２】
本発明は、関節先端を受けるソケット部、プロテーゼを骨に固定するアンカー部、およびアンカー部とソケット部を安全に結合するための結合装置を有するプロテーゼ、特に肩プロテーゼに関する。本発明は、さらに、同様のプロテーゼを組立てる方法に関する。
【０００３】
この種類のプロテーゼは、特に肩及び腰関節の球関節に一般に使用される。肩関節において、同様のプロテーゼは、上腕骨の先端を受けるための関節窩要素を形成する。
【背景技術】
【０００４】
米国特許第５，７０２，４４７号Ａ明細書は、肩甲骨に装着する平面金属ソケットを有する関節窩プロテーゼを開示する。金属ソケットは、肋骨の内側に取り付けられる。皿様のプラスチック・ソケット部が、肋骨の下の傾斜した位置に部分的に挿入されることができ、それを押し下げることによって金属ソケットと安全に結び付けることが可能である。金属ソケット内のプラスチック・ソケットの正確な位置制御は、高い精度を要求する。プラスチック・ソケット部及び金属ソケット間のいかなる物質（例えば血液または組織部）も、結合の完成を妨げることがありえる。単純な傾斜運動のために、プラスチック・ソケット部は、金属ソケットから解除され、プロテーゼはもはや操作可能ではない。プロテーゼの２つの構成要素（プラスチック・ソケット部及び金属ソケット）は、各自全く分離され、単純な操作によって安全に再び結合されることができない。
【０００５】
米国特許出願公開第２００４／００６４１８９号Ａ１明細書は、ネジによって骨に固定されるためのアンカー部を有する関節窩要素、及び下部のスナップ式の装置によってアンカー部に結合されるソケット部を開示した。しかし、アンカー部をソケット部に組立てる時、ソケット部はアンカー部へ傾くことがあり、２つのパーツの安全な結合を妨げ、高い精度を要求する。さらに、組織のいかなる部分及び、ソケット部及びアンカー部の間で偶発的にとどまっている血液は、安全な結合を悪化させる。
【発明の開示】
【発明が解決しようとする課題】
【０００６】
この背景に対して、本発明は前述の課題を解決することができるプロテーゼを作成することを目的とする。本発明の更なる課題は、同様のプロテーゼの組立方法を利用できるようにすることである。
【課題を解決するための手段】
【０００７】
前記課題は、冒頭で言及されるプロテーゼによって解決される。そのプロテーゼはソケット部に少なくとも一つのピンを、アンカー部に少なくとも一つのガイドを割り当てることによって、本質的に傾斜−校正方法によりピンが固定またはガイドに保持できるように導入処置が構成される。ガイドのそのような構成によって、ピンは、ガイドに挿入され、ガイドに導かれるかまたは保持される。これは、ソケット部及びアンカー部との永続的な結合を確実にする。結合装置が開いて、ソケット部がアンカー部から分離する場合も、ソケット部に割り当てられたピンはアンカー部ガイドにそのまま残るので、プロテーゼがバラバラになることはない。
【０００８】
この文脈における表現「本質的に傾斜−校正」は、ピンが導入軸に対して最高１０度、好ましくは１度でそのガイド内で傾けられる状況を包含する。
【０００９】
本発明の好適な実施例において、ガイド及びピンは本質的に円筒状形状で構成され、ガイドの内径が本質的にピンの外径と一致し、ピンをガイドに挿入するときに、ピンの外面はガイドの内面に沿って摺動する。ピンは、このように特に傾斜−校正方法によってガイドに導かれ、保持されることができる。血液のような物質がさらにピンまたはガイドに沈積されるのを防ぐことができる。
【００１０】
この文脈において、「本質的に円筒状」の表現は、最高１０度、好ましくは最高１度の円錐構成を含む。シリンダ面の緻密な溝またはチャネルが達成可能である。
【００１１】
本発明の他の実施例において、ソケット部とアンカー部とを安全に結合するための結合装置は、スナップ式の装置として実現される。安全な結合は、結合するために、少なくとも２０ｋｐ（１９６，１３ニュートン）の応用力を必要とすることが推測される。結合装置の第一部分は、好ましくはソケット部から少し離れてピンの上に置かれ、結合装置の第二部分は、ガイドの挿入末端から少し離れてガイドの上に置かれる。ピンは、ガイドの挿入末端に導入されることができる。結合装置の第一および第二部分間の距離は、ソケット部及びアンカー部間の安全な結合が結合装置によって確立される前に、ピンが傾斜−校正方法によりガイドに導かれることを確実にすることができる。前記間隔は更に、結合装置が開いたときにもピンがガイドから簡単にはずされることがなく、ガイド内に保持されることを確実にする。ソケット部及びアンカー部間の新たな結合は、単にアンカー部をプッシュすることによって達成されることができ、第二の要素と第一の要素が合致できるその深さまでガイドの方へピンを押すことにより、ソケット部及びアンカー部間の安全な結合が達成される。
【００１２】
実施形態の更なる好適な実施例によれば、結合装置のソケット部から特にソケット部の反対末端までの距離は、３ミリメートルから１２ミリメートルの間であり、特に４ミリメートルである。結合装置が開く場合であっても、プロテーゼを骨に固定するための深いボアホールまたは切開を必要とする長さまでガイドを広げずに、前記距離はガイドによるピンの特別に安全な誘導及びサポートを達成させる。さらに、より小さい力のみが、ソケット部をアンカー部に安全に結合するために必要となり、必要な力は、特に１５ｋｐから２２ｋｐ（１４７．１０ニュートンから２１５．７５ニュートン）までの範囲内である。ソケット部及びアンカー部間の安全な結合を元に戻すために必要な力は、少なくとも２０ｋｐ（１９６，１３ニュートン）である。抽出力に関する必要条件は、それで満たされる。
【００１３】
本発明の実施例の追加的な実施例によれば、ピンに提供される結合装置の第一部分は、開口部として適切であり、好ましくは本質的に環状溝である。結合装置の第二部分は、好ましくは肥厚として構成され、特に、本質的にリング形状の湾曲部である。軸及びガイドによって達成される、開口部にまたは溝に、肥厚または湾曲部を固定または嵌めることによって、ソケット部及びアンカー部間の安全な結合を可能にする。開口部は好ましくは溝の端に嵌入され、肥厚又は結合装置の第二部分のお陰で、ピンのガイドへの挿入はピンの小さい剪断しか要しない。
【００１４】
本発明の他の好ましい実施例によれば、ガイドは３ミリメートルから９ミリメートルの内径を有し、特に７ミリメートルである。内径の前記選択は、アンカー部にソケット部を安全に結合するために用いられる小さい力を可能し、その場合、必須の力は特に、１５ｋｐから２２ｋｐまで（１４７．１０ニュートンから２１５．７５ニュートンまで）である。ソケット部及びアンカー部間の安全な結合を解除する最小限の力は、少なくとも２０ｋｐ（１９６．１３ニュートン）であり、それで充分である。
【００１５】
本発明の更なる好適な実施例によれば、ガイドは入口側から逆の側に、アウトレット開口部を有する。このアウトレット開口部は、有利にガイドに含まれるいかなる物質、例えば組織要素または血液が流れ出ることを許し、それで、スムーズな導入及びガイドにおけるピンのスムーズなサポート、アンカー部とソケット部とのスムーズな安全結合が達成できる。
【００１６】
固定装置（特にネジ）が骨にアンカー部を固定するためにアウトレット開口部に提供されることがあり得る。固定処置に加えて、アンカー部がハンマーによって骨にたとえば叩かれる場合、固定装置は自体で良いサポートを達成することができる。
【００１７】
本発明の他の好ましい実施例によれば、ピンをガイドに挿入するために、アンカー部は開口部に嵌合される軸受表面を有する。ピンを導く開口部は、好ましくはガイドの入口側を形成する。軸受表面は、好ましくは、ソケット部が平面方法で軸受表面にあてはまるようにする。結合又はカップリング位置において、ソケット部のカーブ半径及び軸受表面は、好ましくは同じであり、良い静止結合を達成することを可能にする。軸受表面は、追加的なサポートをソケット部に対して提供し、組織及び血液要素のような物質からガイドを保護する。平面の応用は、軸受表面上において最も広い範囲でソケット部の移動または「振れ」を妨げる。
【００１８】
本発明の更なる好ましい実施例によれば、軸受表面から結合装置への距離は、３ミリメートルから１２ミリメートルまでであり、特に４ミリメートルである。この距離は本質的に、言及されたソケット部及び結合装置の第一部分間の好適な距離と一致する。選択された距離のおかげで、安全な誘導及びガイド自体によるピンの安全なサポートが確実にされる。さらに、ソケットをアンカー部に安全に結合するために応用される力は、最小化されることができ、安全な結合を解除するために必要な力を維持または越える時も同様である。
【００１９】
本発明の好ましい追加的な実施例によれば、いくつかのピンがソケット部に割り当てられ、アンカー部はピンの傾斜−校正導入のためにいくつかのガイドを有する。ガイドの数は、好ましくはピンの数と一致する。好適には、２本から３本のピン、２本から３本のガイドが提供される。特に好適な仕様において、ソケット部は、２本のピンが割り当てられ、アンカー部は２本のガイドを有する。ピン及びガイドは、好ましくは互いに平行して正しい位置に置かれる。ピン及びガイドの複数の供給は、アンカー部に対するソケット部の回転を予防することができる。プロテーゼの回転安定性がこれで強化される。
【００２０】
発明の上述のタイプのプロテーゼを組立てる方法は、少なくとも一つのピンがアンカー部の少なくとも一つのガイドに挿入され、ソケット部及びアンカー部間の安全な結合が結合装置によって確立される特徴を有する。結合装置を解放する場合には、ソケット部に割り当てられるピンがアンカー部のガイド内に保持され続けることで、ソケット部とアンカー部との効果的結合の消失を予防することができる。
【００２１】
本発明による方法の好ましい実施例によれば、ソケット部及びアンカー部間の安全な結合を実現するために、ピンに組み立てられる第一要素は、結合装置のガイドに組み立てられる第二要素にきちんと嵌る。ソケット部及びアンカー部間の特に安全な結合は、それで達成されることができる。
【図面の簡単な説明】
【００２２】
本発明の追加的な有利な構成は、図面の助けにより図解される実施例と、従属の請求項に由来する。
【図１】本発明に基づくプロテーゼ実施例の好適な実施形態の断面表示である。
【図２】図１に示される本発明に基づくプロテーゼの実施例の好適な実施形態の一部の拡大表現である。
【図３】固定手段に嵌合される本発明に基づくプロテーゼ実施例の好ましい形態の断面表現である。
【００２３】
これらの図において、同じ参照記号は、構造的にまたは機能的に同一の動作を有する要素を示す。
【発明を実施するための形態】
【００２４】
図１は、本発明に基づくプロテーゼ１の実施例の好適な実施形態の断面を図解する。プロテーゼ１は、特に上腕骨先端を受けるのに役立ち、肩甲骨の一部に植設されることができる。特に、これは関節窩プロテーゼに関する。プロテーゼ１は、もちろんさらに大腿骨先端を受けるために腰関節に植設されることができる。
【００２５】
プロテーゼ１は、関節先端を受けるソケット部２及び、骨にプロテーゼ１を固定するためのアンカー部３を含む。ソケット部２とアンカー部３を安全に結合するために、結合装置４が提供される。ソケット部２は、二本のピン５が割り当てられ、ソケット部２及びピンは一体成形される。ピン５及びソケット部２間のほこりの侵入は、それで予防されることができる。ソケット部２および／またはピン５は、好ましくはプラスチック材料、特にポリエチレンでできている。アンカー部３は、好ましくは金属でできている。
【００２６】
一本のピン５のみ、または二本以上のピン５、特に３本のピン５を提供することがさらに可能である。複数のピン５の応用で、ソケット部及びアンカー部間の結合の回転安定性が高い効果を有する。ピン５は、好ましくは対称形の様子でソケット部のセンター周辺に配置される。ソケット部２は、関節先端を受けるために皿６を有し、ピン５は、皿６の反対側であるソケット部２の側７に配置される。
【００２７】
アンカー部３は、ガイド８を有し、本質的に傾斜−校正方法でピン５がガイド８に保持されることを可能にする。二本以上又は以下のピン５が提供される場合、ガイド８の数はピン５の数と一致する。ピン５及びガイド８は、互いに並行に配置され、本質的に円筒状形状である。ガイド８の内径が本質的にピン５の外径と一致し、ガイド８でのピン５の安全なサポートが確立される。さらに、ほこりまたは他の物質、例えば血液または組織要素の侵入は予防されることができる。これは、順番に安全で確実な、アンカー部３とソケット部２との結合を保証する。
【００２８】
ピン５の入り側に反対の側（示されなかった）で、ガイド８は、アウトレット開口部９を提供し、それを通ってほこり及び血液及び組織要素のような物質が、流れ出るかまたは引き出されることができる。
【００２９】
骨にガイド９をより強く固定するために、円形の溝１０または類似した装置がその外側周辺に提供されることがあり得る。
【００３０】
好ましくは各々のピン５または各々のガイド８に提供される結合装置４は、凹部、好ましくはピン５における環状溝として実現される第一部分１１、及びガイド８に好ましくは環状の肥厚として提供される第二部分１２を含む。
【００３１】
図２は、プロテーゼの拡大断面図を示し、結合装置４の第一部分１１及び第二部分１２間の結合を図解する。第二部分１２は、放射状にガイド８の中へ突き出て、ガイド８のアウトレット開口部９に向けられる第二部分１２の端１３は、好ましくはガイドの内側１４から一定の距離で、本質的に直角又は少なくとも急な角度で設定される。観測者によって見られる垂直又は軸方向において、第二部分１２は、好ましくは端１３からソケット部２への方向に、ガイド８の内側に対して並行に第一の直線１５に流れて、垂直方向又は軸方向で第一の直線１５に続く第二の直線１６においてガイド８の内側１４に切り替えるまで先細になる。
【００３２】
アンカー装置３は、軸受表面１７を有し、ソケット部３が平面の軸受表面１７に寄りかかるようにする。これは、アンカー部３上のソケット部２の正確な位置を有利に達成することを可能にする。接続またはカップリング位置で、ソケット部３及び軸受表面１７のカーブ半径は、好ましくは同一であり、それは、良い接触の達成を可能にする。
【００３３】
結合装置４の第一部分１１は、ソケット部２までの一定距離１８で設置され、ソケット部２の下側１９の中心から第一部分１１のアウトレット開口部９に向けられ、好ましくは溝である端２０までの距離１８は、好ましくは３ミリメートルから１２ミリメートル、特に４ミリメートルの長さである。軸受表面１７及び第二部分１２の端１３間の不特定の距離は、本質的に距離１８に一致する。
【００３４】
ガイド８、さらに結合装置４の第二部分１２が金属でできていて、ピン５がプラスチック材料、特にポリエチレンでできているので、第二部分１２に第一部分１１を結合する時、またはガイド８にピン５を結合する時に、ピン５の変形が起こり、それはガイド８の内側１４から少し離れるように設定され、アウトレット開口部９に向けられる第二部分１２の端２１がピン５へ押圧し、そして変形させることにより誘発される。図１及び２において示される実施例の放射圧入深さ２２は約０．０５ミリメートルに達する。図１及び２に示される実施例の垂直または軸圧入深さ２３は、約０．０４ミリメートルに達する。ピン５への第二部分１２の端２１の侵入は、第二部分１２が、アウトレット開口部９に向けられる第一部分１１の端まで伸びるのを防止する。従って、図示した実施例において、軸受表面１７から第二部分１２の端１３への距離は、ソケット部２の下側１９から第一部分１１の下の端２０までの距離１８より、約０．０７ミリメートルの間隔２４ぐらい短い。
【００３５】
図１及び２の図示の実施例において、肥厚とされたロック機構４の第二部分１２の第一の直線１５において、ガイド８は好ましくは６．８２ミリメートルの内径を有し、肥厚を考慮せずにガイド８の内径は好ましくは７ミリメートルであり、肥厚の幅は０．１８ミリメートルである。開口部として実行される第一部分１１において、ピン５は、好ましくは６．７０ミリメートルの外径を有し、開口部を考慮しないで、ピン５の外径は、好ましくは７ミリメートルに達し、開口部の幅は０．３ミリメートルに達する。肥厚１２を考慮せずに肥厚１２の幅は、好ましくはガイド８の内径の約５パーセントに達し、開口部１１を考慮せずに開口部１１の幅はピン５の外径の約５パーセントに達する。結合装置４は好ましくは、３〜９ミリメートル、特に６〜７ミリメートルの直径を有する。
【００３６】
図１及び２の図示の実施例に関する測定は、同時に、安全な結合を解除するために必要な圧入力を維持すると共に、より小さい圧入力を利用することによって作られる、ソケット部２及びアンカー部３との安全な結合を可能にする。
【００３７】
図３は、図１に示すプロテーゼ１の断面図を示し、アウトレット開口部９を通過している固定手段２５（特にネジ）が、骨にアンカー部３を固定するために提供される。固定手段の軸２６、２７は、好ましくピン５の軸２８と平行しない。これは、より良い固定措置の達成を可能にする。ピン５の軸２８に関する固定手段２５の軸２６、２７の傾斜は、好ましくは４．５度から６度の間である。ピン５の軸２８に対する固定手段２５の軸２６、２７の傾斜が異なるサイズである場合、骨ヘの特に良い支持処置が達成されることができる。たとえば、第一のピン５の軸２８に対する第一の固定手段２５の軸２６の傾斜は６度であってもよく、第二のピン５の軸２８に対する第二の固定手段２５の軸２７の傾斜は４．５度であってもよい。
【００３８】
プロテーゼ１を骨に移植または植設するために、ガイド８は第一段階に骨に挿入される。これは、たとえば、ネジ込、および／またはたとえばハンマーによって力を加えることによって達成される。更なるステップにおいて、ピン５をガイド８に挿入することによって、ソケット部２はアンカー部３に結合される。ソケット部２またはピン５と、アンカー部３またはガイド８との安全な結合が確立されるまで、ピン５はガイド８に挿入される。ピンをガイド８に挿入する時に、それらは、結合装置４のそれぞれの肥厚１２に引き寄せられる。このときに、肥厚１２は開口部１１をクリックするかまたは嵌めて、それで固着し、即ちピン５及びガイド８との非容易に解除可能な結合を達成し、したがって、ソケット部２及びアンカー部３間の非容易に解放可能な結合を達成する。そのようなソケット部２及びアンカー部３との組立がもちろんヒト又は動物の体の外側でされることができる。
【００３９】
開口部１１の方へクリックまたは嵌められる肥厚１２は、ピン５が簡単にそれらから再び抜ける可能性を防止する。それにもかかわらず肥厚１２が、たとえば揺動運動によって、開口部１１から分離される場合に、ピン５は有利にガイド８に残され、これらによって保持され、アンカー部３とソケット部２との結合が完全に解除されることなく、修復可能である。肥厚１２が再び開口部１１にきちんとはまるまで、アウトレット開口部９の方向へソケット部２及びピン５を押圧することによって、新たな安全な結合が単純な方法で達成されることができる。
【００４０】
本発明の好ましい実施例が本出願に記載されたが、本発明がこれらに限られていないことは、明確に示されており、請求項の範囲の中で、他の方法で実施されることも可能である。
【図１】
2009536839.tif 000003
【図２】
2009536839.tif 000004
【図３】
2009536839.tif 000005
【国際調査報告】
2009536839.tif 000006
2009536839.tif 000007
2009536839.tif 000008
2009536839.tif 000009
2009536839.tif 000010
2009536839.tif 000011